【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
システムにおいて、
１つ以上のプロセッサと、
前記１つ以上のプロセッサに連結されたメモリと、
を含み、
前記メモリは、実行可能な命令を含み、前記実行可能な命令が、前記１つ以上のプロセッサによって実行されると、前記１つ以上のプロセッサは、
ユーザと関連する情報を受信することと、
前記ユーザと関連する情報に基づいて、前記ユーザに特化した、１つ以上のアイテムを含むメニューを生成することと、
前記１つ以上のアイテムのうちの第１のアイテムを含む第１のメッセージを受信することと、
結合注文オプションが発動されるのに応じて、前記第１のメッセージが所定の時間以内に受信されたと判断することであって、前記所定の時間中に、第２のアイテムを含む第２のメッセージが受信される、ことと、
前記ユーザの最も近くに配置された複数の配達ステーションのデバイスのうちの１つを特定することと、
前記第１および第２のメッセージが互いに関して前記所定の時間以内に受信されたことに基づいて、
前記第１および第２のアイテム両方の準備ができた場合のみ、前記第１および第２のアイテムと関連するそれぞれの場所を示す配達リクエストを、特定された前記配達ステーションのデバイスに送信し、かつ、
前記第１および第２のアイテムが前記特定された配達ステーションのデバイスの第２のユーザによって配達されたときに確認を受信する、ことと、
を含む、業務を実行する、システム。
【請求項２】
請求項１に記載のシステムにおいて、
前記ユーザと関連する情報は、フライト状況を含み、
前記業務は、
前記フライト状況に基づいて、前記ユーザのコンピューティングデバイスに警報を送信することをさらに含む、システム。
【請求項３】
請求項１に記載のシステムにおいて、
前記業務は、
前記第１および第２のメッセージを受信したことに応じて、前記第１および第２のアイテムにそれぞれ対応する準備ステーションを特定することをさらに含む、システム。
【請求項４】
請求項３に記載のシステムにおいて、
前記業務は、
特定された前記準備ステーションに準備リクエストを送信することをさらに含む、システム。
【請求項５】
請求項４に記載のシステムにおいて、
前記特定された準備ステーションは、複数の準備ステーションのうちの１つであり、
前記業務は、
前記準備リクエストを前記特定された準備ステーションにのみ送信することをさらに含む、システム。
【請求項６】
請求項１に記載のシステムにおいて、
前記業務は、
第３のユーザと関連する第２の場所を示す補助リクエストを受信することと、
前記補助リクエストを表示することと、
前記補助リクエストが満たされたと判断することと、
をさらに含む、システム。
【請求項７】
請求項６に記載のシステムにおいて、
前記業務は、
前記補助リクエストが満たされたと判断することに応じて、前記補助リクエストをディスプレイから削除することをさらに含む、システム。
【請求項８】
実行可能な命令を含むコンピュータ可読記憶媒体において、
前記実行可能な命令が、少なくとも１つのプロセッサによって実行されると、前記プロセッサは、
ユーザと関連する情報を受信することと、
前記ユーザと関連する情報に基づいて、前記ユーザに特化した、１つ以上のアイテムを含むメニューを作成することと、
前記１つ以上のアイテムのうちの第１のアイテムを含む第１のメッセージを受信することと、
結合注文オプションが発動されるのに応じて、前記第１のメッセージが所定の時間以内に受信されたと判断することであって、前記所定の時間中に、第２のアイテムを含む第２のメッセージが受信される、ことと、
前記ユーザの最も近くに配置された複数の配達ステーションのデバイスのうちの１つを特定することと、
前記第１および第２のメッセージが互いに関して前記所定の時間以内に受信されたことに基づいて、
前記第１および第２のアイテム両方の準備ができた場合のみ、前記第１および第２のアイテムと関連するそれぞれの場所を示す配達リクエストを、特定された前記配達ステーションのデバイスに送信し、かつ、
前記第１および第２のアイテムが前記特定された配達ステーションのデバイスの第２のユーザによって配達されたときに確認を受信する、ことと、
を含む、業務を実行する、コンピュータ可読記憶媒体。
【請求項９】
請求項８に記載のコンピュータ可読記憶媒体において、
前記ユーザと関連する情報は、フライト状況を含み、
前記業務は、
前記フライト状況に基づいて、前記ユーザのコンピューティングデバイスに警報を送信することをさらに含む、コンピュータ可読記憶媒体。
【請求項１０】
請求項８に記載のコンピュータ可読記憶媒体において、
前記業務は、
前記第１および第２のメッセージを受信したことに応じて、前記第１および第２のアイテムにそれぞれ対応する準備ステーションを特定することをさらに含む、コンピュータ可読記憶媒体。
【請求項１１】
請求項１０に記載のコンピュータ可読記憶媒体において、
前記業務は、
特定された前記準備ステーションに準備リクエストを送信することをさらに含む、コンピュータ可読記憶媒体。
【請求項１２】
請求項１１に記載のコンピュータ可読記憶媒体において、
前記特定された準備ステーションは、複数の準備ステーションのうちの１つであり、
前記業務は、
前記準備リクエストを前記特定された準備ステーションにのみ送信することをさらに含む、コンピュータ可読記憶媒体。
【請求項１３】
請求項８に記載のコンピュータ可読記憶媒体において、
前記業務は、
第３のユーザと関連する第２の場所を示す補助リクエストを受信することと、
前記補助リクエストを表示することと、
前記補助リクエストが満たされたと判断することと、
をさらに含む、コンピュータ可読記憶媒体。
【請求項１４】
請求項１３に記載のコンピュータ可読記憶媒体において、
前記業務は、
前記補助リクエストが満たされたと判断することに応じて、前記補助リクエストをディスプレイから削除することをさらに含む、コンピュータ可読記憶媒体。
【請求項１５】
コンピュータ実行方法において、
ユーザと関連する情報を受信することと、
前記ユーザと関連する情報に基づいて、前記ユーザに特化した、１つ以上のアイテムを含むメニューを生成することと、
前記１つ以上のアイテムのうちの第１のアイテムを含む第１のメッセージを受信することと、
結合注文オプションが発動されるのに応じて、前記第１のメッセージが所定の時間以内に受信されたと判断することであって、前記所定の時間中に、第２のアイテムを含む第２のメッセージが受信される、ことと、
前記ユーザの最も近くに配置された複数の配達ステーションのデバイスのうちの１つを特定することと、
前記第１および第２のメッセージが互いに関して前記所定の時間以内に受信されたことに基づいて、
前記第１および第２のアイテム両方の準備ができた場合のみ、前記第１および第２のアイテムと関連するそれぞれの場所を示す配達リクエストを、特定された前記配達ステーションのデバイスに送信し、かつ、
前記第１および第２のアイテムが前記特定された配達ステーションのデバイスの第２のユーザによって配達されたときに確認を受信する、ことと、
を含む、方法。
【請求項１６】
請求項１５に記載の方法において、
前記ユーザと関連する情報は、フライト状況を含み、
前記方法は、
前記フライト状況に基づいて、前記ユーザのコンピューティングデバイスに警報を送信することをさらに含む、方法。
【請求項１７】
請求項１５に記載の方法において、
前記方法は、
前記第１および第２のメッセージを受信したことに応じて、前記第１および第２のアイテムにそれぞれ対応する準備ステーションを特定することをさらに含む、方法。
【請求項１８】
請求項１７に記載の方法において、
前記方法は、
特定された前記準備ステーションに準備リクエストを送信することをさらに含む、方法。
【請求項１９】
請求項１８に記載の方法において、
前記特定された準備ステーションは、複数の準備ステーションのうちの１つであり、
前記方法は、
前記準備リクエストを前記特定された準備ステーションにのみ送信することをさらに含む、方法。
【請求項２０】
請求項１５に記載の方法において、
前記方法は、
第３のユーザと関連する第２の場所を示す補助リクエストを受信することと、
前記補助リクエストを表示することと、
前記補助リクエストが満たされたと判断することと、
をさらに含む、方法。
【請求項２１】
請求項２０に記載の方法において、
前記方法は、
前記補助リクエストが満たされたと判断することに応じて、前記補助リクエストをディスプレイから削除することをさらに含む、方法。